(57)【要約】【課題】あるサービスの利用者が設定した目標に合致するコミュニティを抽出する。【解決手段】端末装置の情報設定部によって、利用者の目標情報が属性値ごとに設定されると、この目標情報の属性値は目標情報通知部によって管理装置に通知される。管理装置の抽出部は、通知された目標情報の属性値に基づいて、記憶部に記憶されたコミュニティ管理テーブルから、目標情報に合致するコミュニティを抽出する。そして、通知部は、抽出したコミュニティを端末装置に通知する。端末装置の表示部は、通知されたコミュニティを表示する。【選択図】図１
2014010627.tif 000002
【特許請求の範囲】
【請求項１】
所定の目標の達成について関心または共通点を有する利用者が参加することにより、当該参加した利用者間のコミュニケーションが可能なコミュニティを複数提供し、前記利用者の端末装置と通信可能な管理装置であって、
前記利用者の目標情報の属性値と関連付けて前記複数のコミュニティを管理する管理部と、
前記端末装置から通知される前記利用者の前記目標情報の前記属性値に合致した合致コミュニティを前記複数のコミュニティの中から抽出する抽出部と、
前記抽出部で抽出した前記合致コミュニティを、前記目標情報を設定した前記利用者の前記端末装置に通知する通知部とを備える
ことを特徴とする管理装置。
【請求項２】
前記管理部は、前記通知部により通知した前記合致コミュニティに対して、前記利用者の参加の確認が得られた場合には、当該利用者を当該合致コミュニティの参加者として登録することを特徴とする請求項１に記載の管理装置。
【請求項３】
前記管理部は、前記端末装置から通知される前記利用者の前記目標情報の前記属性値に合致する前記合致コミュニティが存在しない場合には、当該属性値に合致する新たな前記コミュニティを生成することを特徴とする請求項１または請求項２に記載の管理装置。
【請求項４】
前記通知部は、前記管理部により前記新たな前記コミュニティを生成する際には、前記利用者に対して前記新たな前記コミュニティの生成についての確認を求める情報を通知し、前記管理部は、前記コミュニティの生成についての確認が得られた場合に、前記新たな前記コミュニティを生成することを特徴とする請求項３に記載の管理装置。
【請求項５】
前記管理部は、前記目標情報の前記属性値として、目標達成期間を示す数値、目標の種類に対する指標値、及び、目標値を含むことを特徴とする請求項１乃至請求項４のいずれか一項に記載の管理装置。
【請求項６】
前記管理部は、前記目標情報の前記属性値として、目標の達成に向けた行動の開始時期を示す数値を含むことを特徴とする請求項１乃至請求項５のいずれか一項に記載の管理装置。
【請求項７】
前記管理部は、前記目標情報の前記属性値に加えて、前記利用者のプロフィール情報の属性値と関連付けて前記複数のコミュニティを管理し、
前記抽出部は、前記端末装置から通知される前記利用者の前記目標情報の前記属性値及び前記利用者のプロフィール情報の前記属性値と合致した前記合致コミュニティを前記複数のコミュニティの中から抽出することを特徴とする請求項１乃至請求項６のいずれか一項に記載の管理装置。
【請求項８】
前記端末装置から通知される前記利用者の前記目標情報の前記属性値に対する現状値を、当該利用者が参加する前記合致コミュニティ上の表示情報として生成する表示情報生成部を備える
ことを特徴とする請求項１乃至請求項７のいずれか一項に記載の管理装置。
【請求項９】
所定の目標の達成について関心または共通点を有する利用者が参加することにより、当該参加した利用者間のコミュニケーションが可能なコミュニティを複数提供し、前記利用者の端末装置と通信可能な管理装置とを備えるサービス提供システムであって、
前記端末装置は、
前記利用者の目標情報を属性値ごとに設定可能な情報設定部と、
前記情報設定部により設定した前記目標情報の前記属性値を前記管理装置に通知する目標情報通知部と、
前記管理装置から通知される合致コミュニティを表示する表示部とを備え、
前記管理装置は、
前記目標情報の前記属性値と関連付けて前記複数のコミュニティを管理する管理部と、
前記端末装置から通知される前記利用者の前記目標情報の前記属性値に合致した前記合致コミュニティを前記複数のコミュニティの中から抽出する抽出部と、
前記抽出部で抽出した前記合致コミュニティを、前記目標情報を設定した前記利用者の前記端末装置に通知する通知部とを備える
ことを特徴とするサービス提供システム。
【請求項１０】
所定の目標の達成について関心または共通点を有する利用者が参加することにより、当該参加した利用者間のコミュニケーションが可能なコミュニティを複数提供し、前記利用者の端末装置と通信可能な管理装置の制御方法であって、
前記利用者の目標情報の属性値と関連付けて前記複数のコミュニティを管理し、
前記端末装置から通知される前記利用者の前記目標情報の前記属性値に合致した合致コミュニティを前記複数のコミュニティの中から抽出し、
前記抽出した前記合致コミュニティを、前記目標情報を設定した前記利用者の前記端末装置に通知する
ことを特徴とする管理装置の制御方法。
【請求項１１】
所定の目標の達成について関心または共通点を有する利用者が参加することにより、当該参加した利用者間のコミュニケーションが可能なコミュニティを複数提供し、前記利用者の端末装置と通信可能でコンピュータを備える管理装置のプログラムであって、
前記コンピュータを、
前記利用者の目標情報の属性値と関連付けて前記複数のコミュニティを管理する管理部と、
前記端末装置から通知される前記利用者の前記目標情報の前記属性値に合致した合致コミュニティを前記複数のコミュニティの中から抽出する抽出部と、
前記抽出部で抽出した前記合致コミュニティを、前記目標情報を設定した前記利用者の前記端末装置に通知する通知部として機能させる
ことを特徴とする管理装置のプログラム。
【発明の詳細な説明】
【技術分野】
【０００１】
本発明は、あるサービスの利用者が設定した目標に合致するコミュニティを抽出する技術に関する。
【背景技術】
【０００２】
近年、インターネット上で提供するサービスが急速に普及している。この種のサービスの一つとして、ＳＮＳ（Ｓocial Ｎetworking Ｓervice）を提供するウェブサイトが知られている。このウェブサイトでは、利用者同士のコミュニケーションを図るため、友達関係を構築できるようになっている。特許文献１には、コミュニティ属性と、ユーザのコミュニティ属性に関わる嗜好のマッチングに基づき、コミュニケーションの場として各ユーザ毎に適切なブログ・コミュニティを推薦する技術が開示されている。
【先行技術文献】
【特許文献】
【０００３】
【特許文献１】特開２００７−１０２６３５号公報
【発明の概要】
【発明が解決しようとする課題】
【０００４】
しかしながら、特許文献１においては、コミュニティ分析装置によって、コミュニティ定義情報に基づいてコミュニティを構成する各ブログのコンテンツを分析して、規模、活発度、開放度のいずれか１つ以上のコミュニティの属性情報を算出する。そして、ユーザが入力したコミュニティ推薦条件に合致するブログ・コミュニティ情報を検索し、検索結果として得られたコミュニティ情報を、コミュニティ情報をユーザ端末からのリクエストに応じて画面表示させている。
したがって、特許文献１では、コミュニティの規模、活発度、開放度を基準にしてユーザとコミュニティとのマッチングが行われるだけであり、ユーザが設定した目標に合致するコミュニティが推薦される訳ではない。
本発明は、この点に鑑みてなされたものであり、あるサービスの利用者が設定した目標に合致するコミュニティを抽出することなどを解決課題とする。
【課題を解決するための手段】
【０００５】
以上の課題を解決するために本発明が採用する手段を以下に説明する。なお、本発明の理解を容易にするために以下では図面の参照符号を便宜的に括弧書で付記するが、本発明を図示の形態に限定する趣旨ではない。
【０００６】
上述した課題を解決するため、本発明に係る管理装置は、所定の目標の達成について関心または共通点を有する利用者が参加することにより、当該参加した利用者間のコミュニケーションが可能なコミュニティを複数提供し、前記利用者の端末装置（２）と通信可能な管理装置（１）であって、前記利用者の目標情報の属性値と関連付けて前記複数のコミュニティを管理する管理部（１１）と、前記端末装置（２）から通知される前記利用者の前記目標情報の前記属性値に合致した合致コミュニティを前記複数のコミュニティの中から抽出する抽出部（１２）と、前記抽出部（１２）で抽出した前記合致コミュニティを、前記目標情報を設定した前記利用者の前記端末装置（２）に通知する通知部（１３）とを備えることを特徴とする。
この発明において、コミュニティは、利用者間でコミュニケーションが可能であれば、どのような形態でもよく、グループ、個別ページ、スレッド等と呼ばれるものであってもよい。また、この発明において属性値は、目標情報の内容を識別できるものであれば、数値情報、コード情報、テキスト情報等、どのようなものであってもよい。
【０００７】
上述した管理装置（１）において、前記管理部（１１）は、前記通知部（１３）により通知した前記合致コミュニティに対して、前記利用者の参加の確認が得られた場合には、当該利用者を当該合致コミュニティの参加者として登録するようにしてもよい。
【０００８】
上述した管理装置（１）において、前記管理部（１１）は、前記端末装置（２）から通知される前記利用者の前記目標情報の前記属性値に合致する前記合致コミュニティが存在しない場合には、当該属性値に合致する新たな前記コミュニティを生成するようにしてもよい。
【０００９】
上述した管理装置（１）において、前記通知部（１３）は、前記管理部（１１）により前記新たな前記コミュニティを生成する際には、前記利用者に対して前記新たな前記コミュニティの生成についての確認を求める情報を通知し、前記管理部（１１）は、前記コミュニティの生成についての確認が得られた場合に、前記新たな前記コミュニティを生成するようにしてもよい。
【００１０】
上述した管理装置（１）において、前記管理部（１１）は、前記目標情報の前記属性値として、目標達成期間を示す数値、目標の種類に対する指標値、及び、目標値を含むようにしてもよい。
【００１１】
上述した管理装置（１）において、前記管理部（１１）は、前記目標情報の前記属性値として、目標の達成に向けた行動の開始時期を示す数値を含むようにしてもよい。
【００１２】
上述した管理装置（１）において、前記管理部（１１）は、前記目標情報の前記属性値に加えて、前記利用者のプロフィール情報の属性値と関連付けて前記複数のコミュニティを管理し、前記抽出部（１２）は、前記端末装置（２）から通知される前記利用者の前記目標情報の前記属性値及び前記利用者のプロフィール情報の前記属性値と合致した前記合致コミュニティを前記複数のコミュニティの中から抽出するようにしてもよい。
【００１３】
上述した管理装置（１）において、前記端末装置（２）から通知される前記利用者の前記目標情報の前記属性値に対する現状値を、当該利用者が参加する前記合致コミュニティ上の表示情報として生成する表示情報生成部（１６）を備えるようにしてもよい。
【００１４】
上述した課題を解決するため、本発明に係るサービス提供システムは、所定の目標の達成について関心または共通点を有する利用者が参加することにより、当該参加した利用者間のコミュニケーションが可能なコミュニティを複数提供し、前記利用者の端末装置（２）と通信可能な管理装置（１）とを備えるサービス提供システムであって、前記端末装置（２）は、前記利用者の目標情報を属性値ごとに設定可能な情報設定部（２１）と、前記情報設定部（２１）により設定した前記目標情報の前記属性値を前記管理装置（１）に通知する目標情報通知部（２２）と、前記管理装置（１）から通知される合致コミュニティを表示する表示部（２３）とを備え、前記管理装置（１）は、前記目標情報の前記属性値と関連付けて前記複数のコミュニティを管理する管理部（１１）と、前記端末装置（２）から通知される前記利用者の前記目標情報の前記属性値に合致した前記合致コミュニティを前記複数のコミュニティの中から抽出する抽出部（１２）と、前記抽出部（１２）で抽出した前記合致コミュニティを、前記目標情報を設定した前記利用者の前記端末装置（２）に通知する通知部（１３）とを備えることを特徴とする。
【００１５】
上述した課題を解決するため、本発明に係る管理装置の制御方法は、所定の目標の達成について関心または共通点を有する利用者が参加することにより、当該参加した利用者間のコミュニケーションが可能なコミュニティを複数提供し、前記利用者の端末装置（２）と通信可能な管理装置（１）の制御方法であって、前記利用者の目標情報の属性値と関連付けて前記複数のコミュニティを管理し、前記端末装置（２）から通知される前記利用者の前記目標情報の前記属性値に合致した合致コミュニティを前記複数のコミュニティの中から抽出し、前記抽出した前記合致コミュニティを、前記目標情報を設定した前記利用者の前記端末装置（２）に通知することを特徴とする。
【００１６】
上述した課題を解決するため、本発明に係る管理装置のプログラムは、所定の目標の達成について関心または共通点を有する利用者が参加することにより、当該参加した利用者間のコミュニケーションが可能なコミュニティを複数提供し、前記利用者の端末装置（２）と通信可能でコンピュータを備える管理装置（１）のプログラムであって、前記コンピュータを、前記利用者の目標情報の属性値と関連付けて前記複数のコミュニティを管理する管理部（１１）と、前記端末装置（２）から通知される前記利用者の前記目標情報の前記属性値に合致した合致コミュニティを前記複数のコミュニティの中から抽出する抽出部（１２）と、前記抽出部（１２）で抽出した前記合致コミュニティを、前記目標情報を設定した前記利用者の前記端末装置（２）に通知する通知部（１３）として機能させることを特徴とする。
【図面の簡単な説明】
【００１７】
【図１】本発明の第１実施形態に係るサービス提供システムのブロック図である。
【図２】利用者情報テーブルのデータ構造の一例を示す説明図である。
【図３】コミュニティ管理テーブルのデータ構造の一例を示す説明図である。
【図４】設定値管理マスターテーブルのデータ構造の一例を示す説明図である。
【図５】設定値管理マスターテーブルのデータ構造の一例を示す説明図である。
【図６】設定値管理マスターテーブルのデータ構造の一例を示す説明図である。
【図７】設定値管理マスターテーブルのデータ構造の一例を示す説明図である。
【図８】設定値管理マスターテーブルのデータ構造の一例を示す説明図である。
【図９】設定値管理マスターテーブルのデータ構造の一例を示す説明図である。
【図１０】設定値管理マスターテーブルのデータ構造の一例を示す説明図である。
【図１１】設定値管理マスターテーブルのデータ構造の一例を示す説明図である。
【図１２】設定値管理マスターテーブルのデータ構造の一例を示す説明図である。
【図１３】管理サーバの構成を示すブロック図である。
【図１４】端末装置の構成を示すブロック図である。
【図１５】端末装置の表示画面の一例を示す図である。
【図１６】端末装置の表示画面の一例を示す図である。
【図１７】端末装置の表示画面の一例を示す図である。
【図１８】端末装置の表示画面の一例を示す図である。
【図１９】端末装置の表示画面の一例を示す図である。
【図２０】端末装置の表示画面の一例を示す図である。
【図２１】第１実施形態に係るサービス提供システムの動作シーケンスを示すシーケンス図である。
【図２２】第１実施形態に係るサービス提供システムの動作シーケンスを示すシーケンス図である。
【図２３】第１実施形態に係るサービス提供システムの動作シーケンスを示すシーケンス図である。
【図２４】第２実施形態に係るサービス提供システムの動作シーケンスを示すシーケンス図である。
【図２５】第２実施形態に係るサービス提供システムの動作シーケンスを示すシーケンス図である。
【図２６】第３実施形態に係るコミュニティ管理テーブルのデータ構造の一例を示す説明図である。
【図２７】第３実施形態に係る設定値管理マスターテーブルのデータ構造の一例を示す説明図である。
【図２８】第３実施形態に係る設定値管理マスターテーブルのデータ構造の一例を示す説明図である。
【図２９】第３実施形態に係る設定値管理マスターテーブルのデータ構造の一例を示す説明図である。
【図３０】第３実施形態に係る設定値管理マスターテーブルのデータ構造の一例を示す説明図である。
【図３１】第３実施形態に係る設定値管理マスターテーブルのデータ構造の一例を示す説明図である。
【図３２】第３実施形態に係る端末装置の表示画面の一例を示す図である。
【図３３】第３実施形態に係る端末装置の表示画面の一例を示す図である。
【図３４】第３実施形態に係るサービス提供システムの動作シーケンスを示すシーケンス図である。
【図３５】第４実施形態に係るサービス提供システムの動作シーケンスを示すシーケンス図である。
【図３６】変形例に係る端末装置の表示画面の一例を示す図である。
【発明を実施するための形態】
【００１８】
以下、実施形態として、本発明に係る管理サーバを用いたサービス提供システムについて、図面を参照しつつ説明する。
＜第１実施形態＞
＜１．サービス提供システムの構成＞
図１は、本発明の実施形態に係るサービス提供システム１００のブロック図である。このサービス提供システム１００は、インターネットなどの通信網ＮＥＴを介して、健康ＳＮＳサイトを提供する管理サーバ１、及び、利用者の端末装置２を備える。
管理サーバ１が提供する健康ＳＮＳサイトは、利用者同士のコミュニケーションツール（すなわち、利用者の間で行われるメッセージ管理情報の授受、例えば、掲示板、メール、チャット、コミュニティ等）を提供する。本実施形態では、管理サーバ１によって健康ＳＮＳサイトが提供される例について説明するが、管理サーバ１は、利用者が設定した目的の達成をサポートするものであれば、受験生用のＳＮＳサイト、あるいは、ビジネス用のＳＮＳサイト等を提供するものでもよく、さらには、ＳＮＳサイトに限らず、ゲーム等のアプリケーションを提供するものであってもよい。
利用者の端末装置２は、通信網ＮＥＴを介した通信が可能であり、例えば、パーソナルコンピュータ、携帯電話機、スマートフォン、タブレット端末などが該当する。
【００１９】
図１を参照して、管理サーバ１の機能を説明する。管理サーバ１は、利用者情報テーブルＴＢＬ１１、コミュニティ管理テーブルＴＢＬ１３、及び、設定値管理マスターテーブルＴＢＬ１５を記憶した記憶部１８を備える。また、記憶部１８には、管理サーバ１を制御するプログラムが記憶されている。利用者情報テーブルＴＢＬ１１には、健康ＳＮＳの利用者を一意に識別する識別情報ＵＩＤなどが格納されている。コミュニティ管理テーブルＴＢＬ１３には、健康ＳＮＳで利用可能なコミュニティの属性情報等が記録される。設定値管理マスターテーブルＴＢＬ１５には、各種設定値が記録されている。
【００２０】
管理サーバ１は、健康ＳＮＳの利用者の目標情報の属性値と関連付けて複数のコミュニティを管理する管理部１１と、端末装置２から通知される健康ＳＮＳの利用者の目標情報の属性値に合致した合致コミュニティを複数のコミュニティの中から抽出する抽出部１２と、抽出部１２で抽出した合致コミュニティを、目標情報を設定した前記利用者の端末装置２に通知する通知部１３と、健康ＳＮＳ上のマイページや、前記合致コミュニティを端末装置２に表示させる表示制御部１４と、端末装置２から通知される利用者の目標情報に対する現状値に基づいて、コミュニティ上に利用者の現状値についての表示情報を生成する表示情報生成部１６とを備える。
【００２１】
図１を参照して、端末装置２の機能を説明する。端末装置２は、前記利用者の目標情報を属性値ごとに設定可能な情報設定部２１と、情報設定部２１により設定した目標情報の属性値を管理サーバ１に通知する目標情報通知部２２と、ダイエットＳＮＳ上のマイページや、管理サーバ１から通知される合致コミュニティを表示する表示部２３とを備える。
【００２２】
次に、管理サーバ１の記憶部１５に記憶される利用者情報テーブルＴＢＬ１１とコミュニティ管理テーブルＴＢＬ１３について説明する。図２に利用者情報テーブルＴＢＬ１１のデータ構造を示す。利用者情報テーブルＴＢＬ１１には登録情報として複数のレコードが記録されている。１つのレコードは、利用者を一意に識別する識別情報ＵＩＤ、登録日、及び、プロフィール情報を含む。
【００２３】
プロフィール情報は、性別、年齢、住所及びメールアドレスを含む。レコードには、その他の情報を記録してもよい。また、利用者情報テーブルＴＢＬ１１に記憶すべき情報として、利用者の識別情報ＵＩＤは必須であるが、その他の情報は省略してもよい。さらに、利用者情報テーブルＴＢＬ１１をキーとなる情報（例えば、識別情報ＵＩＤ）で紐づけた複数のテーブルで構成し、リレーショナルデータベースとしてもよい。
【００２４】
識別情報ＵＩＤは、利用者が本実施形態の健康ＳＮＳに参加登録した際に、管理サーバ１によって自動的に割り当てられ、登録日は、参加登録を行った日が登録日となる。また、プロフィール情報は、利用者が本実施形態の健康ＳＮＳに参加登録した際に入力するようになっている。
【００２５】
図３にコミュニティ管理テーブルＴＢＬ１３のデータ構造を示す。コミュニティ管理テーブルＴＢＬ１３には複数のレコードが記録されている。１つのレコードは、コミュニティを一意に識別する識別情報ＣＩＤ、目標の種類、目標を達成するための期間、目標となる数値、コミュニティの名称、コミュニティのアイコン画像のＩＤ、及び、コミュニティのＵＲＬを含む。
本実施形態では、利用者が達成しようとする目標の種類、目標を達成するための期間、目標となる数値に応じて、複数のコミュニティが予め用意されており、前記レコードは、全てのコミュニティについて記録されている。以下、前記レコードに含まれるそれぞれの情報について説明する。
【００２６】
識別情報ＣＩＤは、コミュニティを一意に識別する情報である。図３に示す例では、ＣＩＤは、「１００００１」、「１００００２」、「１００００３」、「１００００４」という連続的な数値データである。但し、このような例に限定されるものではなく、アルファベットのみ、または、アルファベットと数字とを組み合わせたものであってもよい。
目標の種類は、指標値として、「０」、「１」、「２」、「３」の４種類の値を取る。図４の設定値管理マスターテーブルＴＢＬ１５ａに示すように、指標値「０」は「ダイエット」を示し、指標値「１」は「腹筋」を示し、指標値「２」は「ランニング」を示し、指標値「３」は「ウォーキング」を示す。但し、これは一例であり、目標の種類はこの例よりも多くても、また、少なくてもよい。
目標を達成するための期間は、指標値として、「０」、「１」、「２」・・・という数値を取るが、その種類と指標値が示す内容は、前記目標の種類によって異なる。目標の種類が「ダイエット」の場合には、目標を達成するための期間の指標値は「０」〜「１１」の１２種類であり、図５の設定値管理マスターテーブルＴＢＬ１５ｂに示すように、指標値「１」が「１ヶ月」、指標値「２」が「２ヶ月」というように、指標値がそのまま月数を示す。但し、指標値「０」は「１年間」を示す。なお、これは一例であり、これよりも細かく、週単位で目標を達成するための期間を表すようにしてもよい。また、１年以上の期間を、目標を達成するための期間として設定しておいてもよい。
目標の種類が「腹筋」の場合には、目標を達成するための期間の指標値は「０」〜「４」の５種類であり、図６の設定値管理マスターテーブルＴＢＬ１５ｃに示すように、指標値「１」が「１週間」、指標値「２」が「２週間」というように、指標値がそのまま週の数を示す。但し、指標値「０」は「毎日」を示す。なお、これは一例であり、これよりも長い期間を、目標を達成するための期間として設定しておいてもよい。
目標の種類が「ランニング」の場合には、目標を達成するための期間の指標値は「０」〜「３」の４種類であり、図７の設定値管理マスターテーブルＴＢＬ１５ｄに示すように、指標値「１」が「１ヶ月」、指標値「２」が「２ヶ月」というように、指標値がそのまま月数を示す。但し、指標値「０」は「毎日」を示す。なお、これは一例であり、これよりも細かく、週単位で目標を達成するための期間を表すようにしてもよい。また、この例よりも長い期間を、目標を達成するための期間として設定しておいてもよい。
目標の種類が「ウォーキング」の場合には、目標を達成するための期間の指標値は「０」〜「４」の５種類であり、図８の設定値管理マスターテーブルＴＢＬ１５ｅに示すように、指標値「１」が「１週間」、指標値「２」が「２週間」というように、指標値がそのまま週の数を示す。但し、指標値「０」は「毎日」を示す。なお、これは一例であり、これよりも長い期間を、目標を達成するための期間として設定しておいてもよい。
【００２７】
目標となる数値は、指標値として、「０」、「１」、「２」・・・という数値を取るが、その種類と指標値が示す内容は、前記目標の種類によって異なる。目標の種類が「ダイエット」の場合には、目標となる数値の指標値は「０」〜「９」の１０種類であり、図９の設定値管理マスターテーブルＴＢＬ１５ｆに示すように、指標値「１」が「１ｋｇ」、指標値「２」が「２ｋｇ」というように、指標値がそのままｋｇを示す。但し、指標値「０」は「１０ｋｇ」を示す。なお、これは一例であり、これよりも細かく目標となる数値を定めてもよいし、１０ｋｇ以上の数値を、目標となる数値として設定しておいてもよい。
目標の種類が「腹筋」の場合には、目標となる数値の指標値は「０」〜「９」の１０種類であり、図１０の設定値管理マスターテーブルＴＢＬ１５ｇに示すように、指標値「１」が「１０回」、指標値「２」が「２０回」を示す。これ以降は、一例として、指標値「３」が「３０回」、指標値「４」が「５０回」、指標値「５」が「１００回」、指標値「６」が「２００回」、指標値「７」が「３００回」、指標値「８」が「４００回」、指標値「９」が「５００回」を示す。なお、指標値「０」は「１０００回」を示す。但し、これは一例であり、これよりも細かく回数を定めたり、これよりも多い回数を、目標となる数値として設定しておいてもよい。
目標の種類が「ランニング」の場合には、目標となる数値の指標値は「０」〜「６」の７種類であり、図１１の設定値管理マスターテーブルＴＢＬ１５ｈに示すように、指標値「１」が「１０ｋｍ」、指標値「２」が「２０ｋｍ」を示す。これ以降は、一例として、指標値「３」が「３０ｋｍ」、指標値「４」が「４０ｋｍ」、指標値「５」が「１００ｋｍ」、指標値「６」が「２００ｋｍ」を示す。なお、指標値「０」は「３００ｋｍ」を示す。但し、これは一例であり、これよりも細かく距離を定めたり、これよりも長い距離を、目標となる数値として設定しておいてもよい。
目標の種類が「ウォーキング」の場合には、目標となる数値の指標値は「０」〜「９」の１０種類であり、図１２の設定値管理マスターテーブルＴＢＬ１５ｉに示すように、指標値「１」が「１０００歩」、指標値「２」が「２０００歩」というように、指標値に１０００歩を掛けた値を示す。但し、指標値「０」は「１００００歩」を示す。なお、これは一例であり、これよりも細かく歩数を定めたり、これよりも多い歩数を、目標となる数値として設定しておいてもよい。
【００２８】
コミュニティの名称は、目標の種類と、目標を達成するための期間と、目標となる数値との組み合わせで予め決められたテキストデータである。図３に示す例では、識別情報ＣＩＤが「１００００１」のコミュニティは、目標の種類が「０」で「ダイエット」、目標を達成するための期間が「３」で「３ヶ月」、目標となる数値が「３」で「３ｋｇ」なので、コミュニティの名称は、「３ヶ月で３ｋｇ痩せる」という名称になる。
同様に、識別情報ＣＩＤが「１００００２」のコミュニティは、目標の種類が「１」で「腹筋」、目標を達成するための期間が「０」で「毎日」、目標となる数値が「３」で「３０回」なので、コミュニティの名称は、「毎日腹筋３０回」という名称になる。
また、識別情報ＣＩＤが「１００００３」のコミュニティは、目標の種類が「２」で「ランニング」、目標を達成するための期間が「１」で「１ヶ月」、目標となる数値が「５」で「１００ｋｍ」なので、コミュニティの名称は、「１ヶ月で１００ｋｍ走る」という名称になる。
そして、識別情報ＣＩＤが「１００００４」のコミュニティは、目標の種類が「３」で「ウォーキング」、目標を達成するための期間が「０」で「毎日」、目標となる数値が「８」で「８０００歩」なので、コミュニティの名称は、「毎日歩こう８０００歩」という名称になる。
【００２９】
コミュニティのアイコン画像のＩＤは、それぞれのコミュニティのアイコン画像の識別情報である。このアイコン画像のＩＤが判ると、そのＩＤに対応したアイコン画像を読み取ることができるようになっている。コミュニティのＵＲＬは、それぞれのコミュニティのトップページのＵＲＬである。なお、コミュニティのアイコン画像のＩＤとコミュニティのＵＲＬは、必ずしもコミュニティ管理テーブルＴＢＬ１３に記録する必要はなく、識別情報ＣＩＤと関連付けておけば、他の記録領域に記録するようにしてもよい。
【００３０】
図１３に管理サーバ１の構成を示す。この図に示すように、管理サーバ１は、装置全体を制御するＣＰＵ（Central Processing Unit）３０、ＣＰＵ３０の作業領域として機能するＲＡＭ（Random Access Memory）３１、ブートプログラムなどを記憶したＲＯＭ（Read Only Memory）３２、各種のプログラムやデータを記憶するハードディスク３３、キーボードやマウスなどを含む入力部３４、画像を表示するディスプレイ３５、通信網ＮＥＴを介して外部の装置と通信を行う通信インターフェース３６、及びコンパクトディスクなどの情報記録媒体を読み取る読取装置３７を備える。ハードディスク３３は、上述した記憶部１８に相当し、利用者情報テーブルＴＢＬ１１、コミュニティ管理テーブルＴＢＬ１３、及び、設定値管理マスターテーブルＴＢＬ１５を格納する。
【００３１】
図１４に端末装置２の構成を示す。端末装置２は、装置全体を制御するＣＰＵ４０、ＣＰＵ４０の作業領域として機能するＲＡＭ４１、ブートプログラムなどを記憶したＲＯＭ４２、各種のプログラムやデータを記憶する記憶装置４３、テンキーなどを含む入力部４４、画像を表示するディスプレイ４５、及び通信網ＮＥＴを介して外部の装置と通信を行う通信インターフェース４６を備える。
【００３２】
＜２．サービス提供システムの動作＞
本実施形態のサービス提供システム１００では、利用者の端末装置２において、健康ＳＮＳのマイページ、あるいは、複数の利用者が参加するコミュニティのページを表示させることができる。本実施形態の健康ＳＮＳにおいては、マイページ上でも、また、コミュニティ上でも、利用者自らが記事等を投稿したり、他の利用者が投稿した記事等に対してコメントを投稿したりすることができるようになっている。本実施形態の健康ＳＮＳにおいては、複数のコミュニティが予め用意されており、利用者が好みのコミュニティに参加することができる。また、利用者が設定した目標に合致するコミュニティが抽出され、利用者に提示される。以下、本実施形態における利用者が設定した目標に合致するコミュニティが抽出処理について説明する。
【００３３】
＜２−１：マイページ＞
図１５に本実施形態の健康ＳＮＳのマイページＰ１を示す。管理サーバ１は、各利用者に対してマイページＰ１を提供する。マイページＰ１は、図１５に示すように、利用者のニックネーム表示領域Ａ１、記録表示領域Ａ２、利用者のプロフィール表示領域Ａ３、日記表示領域Ａ４、利用者のアイコン表示領域Ａ５、参加コミュニティ表示領域Ａ６、及び、友達のアイコン表示領域Ａ７を備えている。
利用者のニックネーム表示領域Ａ１には、利用者が設定したニックネームが表示される。ニックネームの設定は、健康ＳＮＳへの参加登録時に行われるが、その後に変更することも可能になっている。
記録表示領域Ａ２には、利用者の設定した目標に応じて、目標に応じて行動した結果の記録がグラフ表示されるようになっている。図１５は、目標の種類を「ダイエット」とした時の体重と体脂肪率のグラフの例を示している。目標の種類が「腹筋」の場合には、例えば、腹筋の回数のグラフを示すようにすればよい。目標の種類が「ランニング」の場合には、走った距離のグラフを示すようにすればよい。目標の種類が「ウォーキング」の場合には、歩いた歩数のグラフを示すようにすればよい。なお、体重と体脂肪率のグラフは、目標の種類によらずに共通に表示するようにしてもよい。
なお、目標に応じて行動した結果の記録、例えば、毎日の体重と体脂肪率の記録は、日記欄に書き込むようになっている。但し、このような構成に限定されるものではなく、体重及び体脂肪率等の書き込み欄を設けるようにしてもよい。
利用者のプロフィール表示領域Ａ３には、利用者の健康ＳＮＳへの参加登録時に書き込んだ登録情報の一部が表示される。例えば、ニックネーム、性別、身長、体重、体脂肪が表示される。さらに、利用者のプロフィール表示領域Ａ３には、利用者が設定した目標が表示される。目標は、利用者の健康ＳＮＳへの参加登録時に設定するようにしてもよいが、図１５に示すように、プロフィール表示領域Ａ３に目標設定ボタンＢ１を表示させ、この目標設定ボタンＢ１をクリックすることにより、設定できるようにしてもよい。目標設定の方法については後述する。
日記表示領域Ａ４には、利用者が投稿した日記が表示される。マイページＰ１の最上部に表示されるメニューバー表示領域Ａ８に表示されるメニューバーの中から、「日記」のボタンをクリックすると、日記投稿欄が表示される。この日記投稿欄に日記を投稿することにより、日記表示領域Ａ４に日記が表示される。
アイコン表示領域Ａ５には、利用者が選択したアイコン画像が表示される。アイコン画像は、利用者が自由に選択することができ、利用者自身の写真、イラスト等の画像データであればよい。
参加コミュニティ表示領域Ａ６には、利用者が参加しているコミュニティのアイコン画像が一覧表示されるようになっている。図１５は、参加しているコミュニティが無い状態を示している。
友達のアイコン表示領域Ａ７には、利用者と友達になった他の利用者のアイコン画像が表示される。他の利用者と友達になるには、当該他の利用者のマイページを訪問すると、友達申請ボタンが表示されるので、その友達申請ボタンをクリックすればよい。日記表示領域Ａ４に表示される日記には、他の利用者がコメントを投稿できるようになっている。他の利用者がコメントを投稿すると、当該利用者のアイコン画像とニックネームがリンク付きで表示されるので、そのアイコン画像またはニックネームをクリックすることにより、当該利用者のマイページを訪問することができる。また、後述するコミュニティには、参加した利用者による投稿が可能になっており、その投稿には利用者のアイコン画像とニックネームがリンク付きで表示されるので、そのアイコン画像またはニックネームをクリックすることにより、当該利用者のマイページを訪問することができる。
【００３４】
＜２−２：目標設定＞
次に、図２１を参照して本実施形態における目標設定機能について説明する。図２１に示すようにマイページを表示し（Ｓ２００）、利用者が目標設定ボタンＢ１（図１５参照）をクリックすると（Ｓ２０１；ＹＥＳ）、端末装置２は目標種類選択画面の閲覧要求を管理サーバ１に送信する（Ｓ２０２）。この閲覧要求を受信した管理サーバ１は、目標種類選択画面を表示するための表示情報を含む目標種類選択画面閲覧応答を端末装置２に送信する（Ｓ１００）。この閲覧応答を受信した端末装置２は、目標種類選択画面を表示させる（Ｓ２０３）。例えば、図１６に示すような目標種類選択画面Ｐ２をポップアップ表示させる。
なお、目標設定ボタンＢ１がクリックされない場合には（Ｓ２０１；ＮＯ）、以下に説明する本実施形態の処理を行わず、その他の処理に移行する（図２３：端子Ｇ参照）。
目標種類選択画面Ｐ２は、図１６に示すように、タイトル表示領域Ｈ２、テーマ表示領域Ｈ３、ラジオボタンＢ２，Ｂ３，Ｂ４，Ｂ５、決定ボタンＢ６、及び、キャンセルボタンＢ７を備えている。タイトル表示領域Ｈ２には、例えば、「目標のテーマを選んでください。」等のように、利用者に対して目標のテーマ（種類）の選択を促すメッセージが表示される。
テーマ表示領域Ｈ３には、「ダイエット」、「腹筋」、「ランニング」、「ウォーキング」の４種類のテーマが表示される。但し、テーマの種類は、この例よりも多くてもよいし、少なくてもよい。ラジオボタンＢ２，Ｂ３，Ｂ４，Ｂ５は、各テーマに対応しており、いずれかのラジオボタンをクリックすることにより、「ダイエット」、「腹筋」、「ランニング」、「ウォーキング」のうちのいずれかが選択される。
利用者がいずれかのラジオボタンＢ２，Ｂ３，Ｂ４，Ｂ５をクリックして、決定ボタンＢ６をクリックすることにより、選択したテーマについての期間と数値を設定する画面へ移行する。キャンセルボタンＢ７をクリックした場合には、直前の画面に戻るようになっている。
図２１に示すように、ラジオボタンＢ２，Ｂ３，Ｂ４，Ｂ５のいずれがクリックされると（Ｓ２０４；ＹＥＳ）、クリックされたラジオボタンが選択されたことを黒い丸印等で示す表示を行い、選択されたラジオボタンに対応する目標のテーマを記憶するラジオボタン選択処理を行う（Ｓ２０５）。図１６の例では、目標のテーマとして「ダイエット」が選択されたことを示している。
次に、決定ボタンＢ６がクリックされると（Ｓ２０６；ＹＥＳ）、端末装置２は、目標値選択画面閲覧要求を管理サーバ１に送信する（Ｓ２０７）。また、端末装置２は、目標種類選択画面Ｐ２を閉じるクローズ処理を行う（Ｓ２０８）。例えば、ステップＳ１００で管理サーバ１から送信される目標種類選択画面閲覧応答には、目標種類選択画面Ｐ２を表示するための表示情報が含まれており、この表示情報の中には、目標種類選択画面Ｐ２を閉じるための命令がjavascript等により含まれており、端末装置２において起動しているブラウザ等の閲覧用のソフトウェアにより、この目標種類選択画面Ｐ２を閉じるための命令を実行することができる。このクローズ処理を実行することにより、目標種類選択画面Ｐ２が閉じられることになる。
一方、目標値選択画面閲覧要求を受信した管理サーバ１は、目標値選択画面を表示するための表示情報を含む目標値選択画面閲覧応答を端末装置２に送信する（Ｓ１０１）。この閲覧応答を受信した端末装置２は、目標値選択画面を表示させる（Ｓ２０９）。一例として、図１７に示すような目標値選択画面Ｐ３がポップアップ表示される。
なお、図１６に示す目標種類選択画面Ｐ２が表示された状態で、ラジオボタンＢ２，Ｂ３，Ｂ４，Ｂ５がクリックされず（Ｓ２０４；ＮＯ）、また、決定ボタンＢ６がクリックされず（Ｓ２０６；ＮＯ）、さらには、キャンセルボタンＢ７もクリックされない場合には（Ｓ２１０；ＮＯ）、目標種類選択画面Ｐ２が表示されたままの状態となる。しかし、キャンセルボタンＢ７がクリックされた場合には（Ｓ２１０；ＹＥＳ）、端末装置２は、目標種類選択画面Ｐ２を閉じるクローズ処理を行う（Ｓ２１１）。このクローズ処理は、ステップＳ２０８のクローズ処理と同様である。キャンセルボタンＢ７がクリックされて目標種類選択画面Ｐ２が閉じられると、再び図１５に示すマイページ表示の状態に戻る（図２１；端子Ｈ参照）。
【００３５】
＜２−３：コミュニティ抽出処理＞
次に、以上のように図１７に示す目標値選択画面Ｐ３が表示され、目標値が設定された場合の本実施形態におけるコミュニティ抽出処理を図２２を参照して説明する。
図１７は、一例として、図１６における「ダイエット」に対応したラジオボタンＢ２がクリックされ、決定ボタンＢ６がクリックされた場合の目標値選択画面Ｐ３の例を示している。
図１７に示すダイエット用の目標値設定画面Ｐ３は、タイトル表示領域Ｈ４、期間表示領域Ｈ５、数値表示領域Ｈ６、決定ボタンＢ８、及び、キャンセルボタンＢ９を備えている。
タイトル表示領域Ｈ４には、例えば、「目標を設定してください。」等のように、利用者に対して目標値設定を促すメッセージが表示される。
期間表示領域Ｈ５には、目標を達成する期間が、「１か月」、「２か月」、「３か月」等のようにプルダウンメニューで表示されるようになっている。利用者は、プルダウンメニューで表示された期間の中から、自らが目標を達成しようとする期間を選択する。
数値表示領域Ｈ６には、目標とする数値が、「１ｋｇ」、「２ｋｇ」、「３ｋｇ」等のようにプルダウンメニューで表示されるようになっている。利用者は、プルダウンメニューで表示された数値の中から、自らが目標とする数値を選択する。
図１７は、目標を達成する期間として「３か月」が選択され、目標とする数値として「３ｋｇ」が選択された例を示している。
【００３６】
図２２は本実施形態におけるコミュニティ抽出処理のフローチャートである。期間表示領域Ｈ５または数値表示領域Ｈ６のプルダウンメニューが選択されると（Ｓ２１２；ＹＥＳ）、選択されたメニューを黒色等のバーで示す表示を行い、選択された期間または数値を記憶するプルダウンメニュー選択処理を行う（Ｓ２１３）。図１７の例では、目標を達成する期間として「３か月」、及び、目標とする数値として「３ｋｇ」が選択されたことを示している。
次に、決定ボタンＢ８がクリックされる（Ｓ２１４；ＹＥＳ）と、端末装置２は、コミュニティ推薦画面閲覧要求を管理サーバ１に送信する（Ｓ２１５）。このコミュニティ推薦画面閲覧要求には、目標を設定した利用者の識別情報ＵＩＤ、目標種類選択画面Ｐ２上で選択された目標のテーマ（種類）、目標値選択画面Ｐ３上で選択された期間と数値が含まれる。また、端末装置２は、目標値選択画面Ｐ３を閉じるクローズ処理を行う（Ｓ２１６）。例えば、ステップＳ１０１で管理サーバ１から送信される目標値選択画面閲覧応答には、目標値選択画面Ｐ３を表示するための表示情報が含まれており、この表示情報の中には、目標値選択画面Ｐ３を閉じるための命令がjavascript等により含まれており、端末装置２において起動しているブラウザ等の閲覧用のソフトウェアにより、この目標値選択画面Ｐ３を閉じるための命令を実行することができる。このクローズ処理を実行することにより、目標値選択画面Ｐ３が閉じられることになる。
一方、コミュニティ推薦画面閲覧要求を受信した管理サーバ１は、コミュニティ推薦画面閲覧要求に含まれる目標のテーマ（種類）、期間、及び数値を利用者の識別情報ＵＩＤと関連付けて記憶する（Ｓ１０２）。
次に、管理サーバ１は、コミュニティ管理テーブルＴＢＬ１３から、目標のテーマ（種類）が合致するコミュニティを抽出する（Ｓ１０３）。上述した例の場合には、目標のテーマ（種類）が「ダイエット」なので、図３に示すコミュニティ管理テーブルＴＢＬ１３から、「種類」の項目の値として「０」が記録されているコミュニティを抽出する
次に、抽出したコミュニティの中から、目標を達成する期間が合致するコミュニティが有るかどうかを検索する（Ｓ１０４）。この例の場合には、目標の種類が「ダイエット」で、目標を達成する期間が「３か月」なので、図３に示すコミュニティ管理テーブルＴＢＬ１３から、「期間」の項目の値として「３」が記録されているコミュニティを検索する。「期間」の項目の値として「３」が記録されているコミュニティがある場合は、当該コミュニティを抽出し、さらに、抽出したコミュニティの中から、目標とする数値が合致するコミュニティが有るかどうかを検索する（Ｓ１０５）。この例の場合には、目標の種類が「ダイエット」で、目標とする数値が「３ｋｇ」なので、図３に示すコミュニティ管理テーブルＴＢＬ１３から、「数値」の項目の値として「３」が記録されているコミュニティを検索する。「数値」の項目の値として「３」が記録されているコミュニティがある場合には、当該コミュニティを抽出する。このようにして、利用者が設定した目標の種類、目標を達成する期間、及び、目標とする数値の３条件に合致するコミュニティの抽出を行う（Ｓ１０６）。
【００３７】
次に、以上のようにして、利用者が設定した目標の種類、目標を達成する期間、及び、目標とする数値に合致するコミュニティを抽出した後は、コミュニティ管理テーブルＴＢＬ１３から当該コミュニティの情報を読み取る（Ｓ１０７）。具体的には、当該コミュニティの識別情報ＣＩＤ、コミュニティの名称、アイコン画像のＩＤ、及び、コミュニティのＵＲＬを読み取る。上述の例では、目標の種類「ダイエット」、目標を達成する期間「３か月」、及び、目標とする数値「３ｋｇ」に合致するコミュニティは、図３に示す例では、識別情報ＣＩＤが「１００００１」のコミュニティなので、コミュニティの名称として「３ヶ月で３ｋｇ痩せる」という名称を読み取り、図３には記載を省略しているが、このコミュニティのアイコン画像のＩＤとコミュニティのＵＲＬを読み取る。
そして、読み取ったコミュニティの情報に基づいて、利用者に対して、利用者が設定した目標に合致するコミュニティの推薦を行うためのコミュニティ推薦画面閲覧応答を端末装置２に送信する（Ｓ１０８）。この閲覧応答を受信した端末装置２は、コミュニティ推薦画面の表示を行う（Ｓ２１７）。例えば、図１８に示すようなコミュニティ推薦画面Ｐ４をポップアップ表示させる。
コミュニティ推薦画面Ｐ４は、タイトル表示領域Ｈ７、メッセージ表示領域Ｈ８、アイコン画像表示領域Ｈ９、コミュニティ名称表示領域Ｈ１０、参加ボタンＢ１０、及び、参加しないボタンＢ１１を備えている。
タイトル表示領域Ｈ７には、例えば、「おすすめコミュニティ」等のタイトルが表示される。また、メッセージ表示領域Ｈ８には、例えば、「あなたにおすすめのコミュニティです。みんなと一緒に頑張りましょう」ように、利用者に対するメッセージが表示される。
アイコン画像表示領域Ｈ９には、アイコン画像が表示され、コミュニティ名称表示領域Ｈ１０には、コミュニティの名称が表示される。図１８の例では、「３ヶ月で３ｋｇ痩せるコミュニティ」と表示される。
なお、利用者が設定した期間または数値とコミュニティ管理テーブルＴＢＬ１３の「期間」または「数値」の項目の値とが合致しない場合には（図２２；端子Ｆ）、図２３に示すように、設定した目標をマイページのプロフィール表示領域に反映させるようにマイページ表示情報の更新を行い（Ｓ１１１）、マイページ表示応答を端末装置２に送信する（Ｓ１１２）。この表示応答を受信した端末装置２はマイページの表示を行う（Ｓ２２７）。例えば、図２０に示すようなマイページの表示が行われる。但し、この場合には、合致したコミュニティが存在しないので、マイページの参加コミュニティ表示領域Ａ６にはコミュニティのアイコンは表示されない。しかし、プロフィール表示領域Ａ３の目標欄Ａ３１には、「３ヶ月で３ｋｇ痩せる！」等のように目標が表示される。このように、本実施形態では、利用者が設定した目標を達成する期間と目標とする数値に合致するコミュニティが存在しない場合には、コミュニティの推薦は行われない。
なお、プルダウンメニューの選択が行われず（Ｓ２１２；ＮＯ）、また、決定ボタンＢ８もクリックされず（Ｓ２１４；ＮＯ）、さらには、キャンセルボタンＢ９もクリックされない場合には（Ｓ２１８；ＮＯ）、目標値選択画面Ｐ３が表示されたままの状態となる。しかし、キャンセルボタンＢ９がクリックされた場合には（Ｓ２１８；ＹＥＳ）、端末装置２は、目標値選択画面Ｐ３を閉じるクローズ処理を行う（Ｓ２１９）。このクローズ処理は、ステップＳ２１６のクローズ処理と同様である。キャンセルボタンＢ９がクリックされて目標値選択画面Ｐ３が閉じられると、再び図１６に示す目標種類選択画面Ｐ２の表示の状態に戻る（図２１；端子Ｅ参照）。
【００３８】
＜２−４：コミュニティ登録処理＞
図２３を参照して、コミュニティ推薦画面Ｐ４が表示されてからの処理について説明する。まず、アイコン画像表示領域Ｈ９に表示されているアイコン画像、または、コミュニティ名称表示領域Ｈ１０に表示されるコミュニティの名称がクリックされると（図２３：Ｓ２２０；ＹＥＳ）、管理サーバ１は端末装置２に対してコミュニティのＵＲＬ要求を管理サーバ１に送信する（Ｓ２２１）。このＵＲＬ要求を受信した管理サーバ１は、コミュニティのＵＲＬを端末装置２に送信する（Ｓ１０９）。コミュニティのＵＲＬを受信した端末装置２は、コミュニティを表示する（Ｓ２２２）。例えば、端末装置２において、図１９に示すようなコミュニティの表示画面Ｐ５が表示され、利用者は当該コミュニティの概要を知ることができる。
コミュニティの表示画面Ｐ５は、タイトル表示領域Ｃ１、コミュニティ概要表示領域Ｃ２、メンバー表示領域Ｃ３、掲示板表示領域Ｃ４、アイコン画像表示領域Ｃ５、メニュー表示領域Ｃ６、記録表示領域Ｃ７を備える。また、このコミュニティに参加していない利用者が、コミュニティの表示画面Ｐ５を閲覧した場合には、図１９に示すように、参加ボタンＢ１２と参加しないボタンＢ１２が表示されるようになっている。
タイトル表示領域Ｃ１には、コミュニティの名称が表示される。図１９に示す例では、「３ヶ月で３ｋｇ痩せるコミュニティ」と表示される。コミュニティ概要表示領域Ｃ２には、コミュニティの目的、参加対象者等のコミュニティの概要が表示される。メンバー表示領域Ｃ３には、コミュニティに参加登録している利用者のアイコン画像が表示される。掲示板表示領域Ｃ４には、コミュニティに参加登録している利用者の投稿が表示される。アイコン画像表示領域Ｃ５には、コミュニティのアイコン画像が表示される。メニュー表示領域Ｃ６は、コミュニティを構成する各ページのタイトルが表示され、タイトルをクリックすることにより、各ページにジャンプするようになっている。記録表示領域Ｃ７には、コミュニティに参加登録している利用者の記録がグラフ表示される。
【００３９】
図１８に示すコミュニティ推薦画面Ｐ４の参加ボタンＢ１０、または、図１９に示すコミュニティの表示画面Ｐの参加ボタンＢ１２がクリックされると（図２３：Ｓ２２３；ＹＥＳ）、端末装置２は、管理サーバ１に対してコミュニティへの登録要求を送信する（Ｓ２２４）。この登録要求を受信した管理サーバ１は、コミュニティへの登録処理を行う（Ｓ１１０）。
一方、端末装置２が、管理サーバ１からの登録完了通知を受領すると（Ｓ２２５）、コミュニティ推薦画面Ｐ４を閉じるクローズ処理を行う（Ｓ２２６）。例えば、図２２のステップＳ１０８で管理サーバ１から送信されるコミュニティ推薦画面閲覧応答には、コミュニティ推薦画面Ｐ４を表示するための表示情報が含まれており、この表示情報の中には、コミュニティ推薦画面Ｐ４を閉じるための命令がjavascript等により含まれており、端末装置２において起動しているブラウザ等の閲覧用のソフトウェアにより、このコミュニティ推薦画面Ｐ４を閉じるための命令を実行することができる。このクローズ処理を実行することにより、コミュニティ推薦画面Ｐ４が閉じられることになる。
管理サーバ１は、登録処理として、コミュニティの参加メンバーリストに、参加ボタンをクリックして参加承認を行った利用者の識別情報ＵＩＤを記録する。この参加メンバーリストは、コミュニティ管理テーブルＴＢＬ１３に記録するようにしてもよいし、別の記録領域に記録するようにしてもよい。このように利用者の識別情報ＵＩＤを参加メンバーリストに加えることにより、コミュニティの表示画面Ｐ５のメンバー表示領域Ｃ３に、当該利用者のアイコン画像が表示されることになる。また、管理サーバ１は、当該利用者のプロフィール情報の一つとして、当該コミュニティを記録する。この記録は、利用者情報テーブルＴＢＬ１１に行ってもよいし、別の記録領域に行ってもよい。このような記録を行うことにより、利用者のマイページを表示した際に、当該コミュニティのアイコン画像が、参加コミュニティ表示領域に表示されることになる。
【００４０】
以上のようなコミュニティへの登録処理が完了すると、管理サーバ１は、端末装置２に対して登録完了通知を送信すると共に、設定した目標をマイページのプロフィール表示領域に反映させ、登録したコミュニティをマイページの参加コミュニティ表示領域に反映させるようにマイページ表示情報の更新を行い（Ｓ１１１）、マイページ表示応答を端末装置２に送信する（Ｓ１１２）。この表示応答を受信した端末装置２はマイページの表示を行う（Ｓ２２７）。例えば、図２０に示すようなマイページの表示が行われる。例えば、図２０に示すようなマイページが表示される。図２０の例では、参加コミュニティ表示領域Ａ６に、「３ヶ月で３ｋｇ痩せるコミュニティ」のアイコン画像Ｄ１が表示されている。また、プロフィール表示領域Ａ３の目標欄Ａ３１には、利用者が設定した「３ヶ月で３ｋｇ痩せる」という目標が表示される。
但し、図１９に示すコミュニティの表示画面Ｐ５において参加ボタンＢ１２がクリックされて登録処理が行われた場合には、マイページ表示情報の更新を行うと共に、当該利用者をコミュニティのメンバーとして表示させるため等のコミュニティページの表示情報の更新を行って、そのままコミュニティページを表示させた状態を維持するようにしてもよい。
なお、コミュニティの確認が行われず（Ｓ２２０；ＮＯ）、また、参加ボタンＢ１０もクリックされず（Ｓ２２３；ＮＯ）、さらには、参加しないボタンＢ１１もクリックされない場合には（Ｓ２２８；ＮＯ）、コミュニティ推薦画面Ｐ４が表示されたままの状態となる。しかし、参加しないボタンＢ１１がクリックされた場合には（Ｓ２２８；ＹＥＳ）、端末装置２は、コミュニティ推薦画面Ｐ４を閉じるクローズ処理を行う（Ｓ２２９）。このクローズ処理は、ステップＳ２２６のクローズ処理と同様である。参加しないボタンＢ１１がクリックされてコミュニティ推薦画面Ｐ４が閉じられると（図２３；端子Ｆ）、設定した目標をマイページのプロフィール欄に反映させるようにマイページ表示情報の更新を行い（Ｓ１１１）、マイページ表示応答を端末装置２に送信する（Ｓ１１２）。この表示応答を受信した端末装置２はマイページの表示を行う（Ｓ２２７）。例えば、図２０に示すようなマイページの表示が行われる。但し、この場合には、コミュニティへの参加は行われないので、マイページの参加コミュニティ表示領域Ａ６にはコミュニティのアイコンは表示されない。しかし、プロフィール表示領域３の目標欄Ａ３１には、「３ヶ月で３ｋｇ痩せる！」等のように目標が表示される。
なお、ステップＳ２２８において、図１９に示すコミュニティページに表示された参加しないボタンＢ１３がクリックされた場合には（Ｓ２２８；ＹＥＳ）、端末装置２は、図１９に示すコミュニティページから、図１８に示すコミュニティ推薦画面Ｐ４に表示を移行させた後、
コミュニティ推薦画面Ｐ４を閉じるクローズ処理を行うようにすればよい（Ｓ２２９）。
【００４１】
本実施形態においては、利用者が目標を設定すると、その目標に合致するコミュニティが抽出され、利用者に対してそのコミュニティが推薦されるので、利用者は同じ目標の利用者が参加しているコミュニティに参加し易くなり、仲間と一緒に目標達成に向けて努力することができるので、目標達成を実現し易くなるという利点がある。
【００４２】
＜第２実施形態＞
上述した第１実施形態のサービス提供システム１００は、利用者が設定した目標に合致するコミュニティが存在しなかった場合には、コミュニティの推薦を行わなかった。これに対して、第２実施形態のサービス提供システム１００は、利用者が設定した目標に合致するコミュニティが存在しなかった場合には、当該目標に合致するコミュニティを管理サーバ１が生成する。その他については、図１に示す第１実施形態のサービス提供システム１００と同様である。
【００４３】
図２４に示すように、利用者が設定した目標に合致するコミュニティが存在しなかった場合には（Ｓ１０４；ＮＯ、Ｓ１０３；ＮＯ）、管理サーバ１は、当該目標に合致するコミュニティを生成する（Ｓ１２０）。これ以降の処理は、第１実施形態と同様である。
コミュニティの生成処理は、利用者が選択した目標の種類、利用者が設定した目標を達成する期間及び目標となる数値のそれぞれを示す指標値を、図３に示すコミュニティ管理テーブルＴＢＬ１３に追加記録することにより行われる。またこれらの指標値に基づいて生成したコミュニティの名称をコミュニティ管理テーブルＴＢＬ１３に記録する。アイコン画像については、予め用意されたアイコン画像を使用すればよい。ＵＲＬについては、予め予備のＵＲＬとして用意しておいてもよいし、新たに生成するようにしてもよい。
【００４４】
また、図２５に示すように、利用者が設定した目標に合致するコミュニティが存在しなかった場合には（Ｓ１０４；ＮＯ、Ｓ１０５；ＮＯ）、管理サーバ１は、端末装置２に対して、コミュニティの生成についての確認通知（Ｓ１１８）を行うようにしてもよい。確認通知を受け取った端末装置２は、確認表示を行う（Ｓ２３０）。「あなたの目標に合うコミュニティがありません。新しいコミュニティを生成しますか？」等のメッセージと、生成ボタン及びキャンセルボタンを表示させ、生成ボタンがクリックされた場合には（Ｓ２３１；ＹＥＳ）、端末装置２は、管理サーバ１に対して確認の送信を行う（Ｓ２３２）。管理サーバ１は、端末装置２からの確認を受領し（Ｓ１１９）、当該目標に合致するコミュニティを生成する（Ｓ１２０）ようにしてもよい。
なお、確認表示画面においてキャンセルボタンがクリックされた場合には（Ｓ２３１；ＮＯ）、図２３に示すように、マイページの表示情報の更新を行って（Ｓ１１１）、マイページを表示させるようにすればよい（Ｓ１１２、Ｓ２２７）。
【００４５】
本実施形態によれば、利用者が設定した目標に合致するコミュニティが必ず推薦されるので、同じ目標の利用者が参加するコミュニティを通じて、仲間と一緒に目標達成に向けて努力することができるので、目標達成を実現し易くなるという利点がある。
【００４６】
＜第３実施形態＞
上述した各実施形態では、コミュニティを、目標の種類、目標を達成する期間、目標とする数値の３種類の属性で分類するようにしたが、属性の種類を増やすことにより、コミュニティをさらに細かく分類するようにしてもよい。
本実施形態においては、図２６に示すように、コミュニティ管理テーブルＴＢＬ１３’においては、目標の種類、目標を達成する期間、目標とする数値の他に、コミュニティの開始日と、参加の条件となる性別、地域、世代との７種類の属性が記録されている。また、図２７乃至図３１に示すように、設定値管理マスターテーブルＴＢＬ１５ｍ，ＴＢＬ１５ｎ，ＴＢＬ１５ｏ，ＴＢＬ１５ｐ，ＴＢＬ１５ｐ’が追加されている。
コミュニティの開始日は、コミュニティが作成された日付がそのまま記録される。参加の条件となる性別は、指標値として、「０」、「１」、「２」の３種類の値を取る。図２７の設定値管理マスターテーブルＴＢＬ１５ｍに示すように、指標値「０」は「限定せず」を示し、指標値「１」は「女性」を示し、指標値「２」は「男性」を示す。
参加の条件となる地域は、指標値として、「０」、「１」、「２」の３種類の値を取る。図２８の設定値管理マスターテーブルＴＢＬ１５ｎに示すように、指標値「０」は「限定せず」を示し、指標値「１」は「同一」を示し、指標値「２」は「近接」を示す。
参加の条件となる世代は、指標値として、「０」、「１」、「２」、「３」、「４」、「５」の６種類の値を取る。図２９の設定値管理マスターテーブルＴＢＬ１５ｏに示すように、指標値「０」は「限定せず」を示し、指標値「１」は「１０代」、指標値「２」は「２０代」、指標値「３」は「３０代」、指標値「４」は「４０代」、指標値「５」は「５０代」を示す。但し、これは一例であり、世代の種類はこの例よりも多くても、また、少なくてもよい。
【００４７】
したがって、目標の種類が「ダイエット」、目標を達成する期間が「３ヶ月」、目標とする数値が「３ｋｇ」のコミュニティであっても、図２６に示す識別情報ＣＩＤが「１００００５」のコミュニティのように女性限定のコミュニティ、識別情報ＣＩＤが「１００００６」のコミュニティのように２０代の女性限定のコミュニティ、識別情報ＣＩＤが「１００００７」のコミュニティのように男性限定のコミュニティ、あるいは、識別情報ＣＩＤが「１００００８」のコミュニティのように同一地域に住む４０代男性限定のコミュニティ等が存在することになる。
【００４８】
本実施形態では、利用者が目標を設定する、その目標に合致するコミュニティを抽出して、利用者に対して推薦する処理については、上述の各実施形態と同様である。しかしながら、本実施形態の場合には、目標に合致するコミュニティであっても、複数のコミュニティが存在する可能性がある。そこで、コミュニティ検索の結果、複数のコミュニティが抽出された場合には、図３２に示すように、コミュニティ推薦画面Ｐ４’に複数のコミュニティを表示させる。また、複数のコミュニティのうちのいずれか一つのコミュニティを選択するために、各コミュニティに対応するラジオボタンＢ２０，Ｂ２１，Ｂ２２が表示される。さらに、参加ボタンＢ１０及び参加しないボタンＢ１１の他に、絞込みボタンＢ３０が表示される。
【００４９】
図３４に示すように、コミュニティ推薦画面Ｐ４’が表示された状態で、絞込みボタンＢ３０がクリックされた場合には（Ｓ２４０；ＹＥＳ）、管理サーバ１は、端末装置２に対して、条件設定画面の表示要求を管理サーバ１に送信する（Ｓ２４１）。表示要求を受信した管理サーバ１は、条件設定画面の表示情報を含む条件設定画面表示応答を端末装置２に送信する（Ｓ１３０）。表示応答を受信した端末装置２は、条件設定画面を表示させる。一例として、図３３に示すような条件設定画面Ｐ６を表示させる。
条件設定画面Ｐ６は、タイトル表示領域Ｈ２０、開始時期選択表示領域Ｈ２１、性別選択表示領域Ｈ２２、地域選択表示領域Ｈ２３、世代選択表示領域Ｈ２４、決定ボタンＢ３１、及びキャンセルボタンＢ３２を備える。
タイトル表示領域Ｈ２０には、例えば、「条件を設定してください。」等のメッセージが表示される。開始時期選択表示領域Ｈ２１には、プルダウンメニューによって、「限定なし」、「１週間以内」、「２週間以内」、「３週間以内」が表示され、いずれかを選択できるようになっている。性別選択表示領域Ｈ２２には、プルダウンメニューによって、「限定なし」、「女性限定」、「男性限定」が表示され、いずれかを選択できるようになっている。地域選択表示領域Ｈ２３には、プルダウンメニューによって、「限定なし」、「同一地域」、「近接地域」が表示され、いずれかを選択できるようになっている。世代選択表示領域Ｈ２４には、プルダウンメニューによって、「１０代」、「２０代」、「３０代」、「４０代」、「５０代」が表示され、いずれかを選択できるようになっている。
【００５０】
条件設定画面Ｐ６において、開始時期、性別、地域、及び、世代の選択を行い、決定ボタンＢ３１がクリックされると、端末装置２は、選択した条件を管理サーバ１に通知する（Ｓ２４３）。さらに、条件設定画面を閉じるクローズ処理を行う（Ｓ２４４）。例えば、ステップＳ１３０で管理サーバ１から送信される条件設定画面閲覧応答には、条件設定画面Ｐ６を表示するための表示情報が含まれており、この表示情報の中には、条件設定画面Ｐ６を閉じるための命令がjavascript等により含まれており、端末装置２において起動しているブラウザ等の閲覧用のソフトウェアにより、この条件設定画面Ｐ６を閉じるための命令を実行することができる。このクローズ処理を実行することにより、条件設定画面Ｐ６が閉じられることになる。
管理サーバ１は、受け取った条件に基づいて、その条件に合致するコミュニティが有るかどうかの検索を行う（Ｓ１３１）。具体的には、選択された条件に対応する指標値と、コミュニティ管理テーブルＴＢＬ１３’の参加の条件となる性別の欄、地域の欄、世代の欄のそれぞれの欄に記録された指標値とが合致するかどうかを判定する。なお、コミュニティの開始日については、検索を行っている時の日付と、コミュニティの開始日の欄に記録された日付との差分を計算することにより、１週間以内などのコミュニティを検索すればよい。
また、地域の条件として「同一地域」が選択された場合には、コミュニティ管理テーブルＴＢＬ１３’の地域の欄に「１」が記録されたコミュニティを抽出し、抽出したコミュニティの参加条件として指定されている地域と、利用者のプロフィール欄に記載された地域とが一致するかどうかを判定する。したがって、この場合には、コミュニティ管理テーブルＴＢＬ１３’に、参加条件として地域の指定があるコミュニティについては、その指定の地域を記録しておく。
さらに、地域の条件として「近接地域」が選択された場合には、コミュニティ管理テーブルＴＢＬ１３’の地域の欄に「２」が記録されたコミュニティを抽出し、抽出したコミュニティの参加条件として指定されている地域と、利用者のプロフィール欄に記載された地域とが近接するかどうかを判定する。近接するかどうかの判定には、図３０に示す設定値管理マスターテーブルＴＢＬ１５ｐを用いればよい。例えば、利用者のプロフィール欄に記載された地域が東京都である場合には、設定値管理マスターテーブルＴＢＬ１５ｐの左端の欄から「東京都」が記録されているレコードを抽出し、このレコードのうち、指標値「１」が記録されている列の先頭に記録されている都道府県名と、コミュニティの参加条件として指定されている地域との一致を判定すればよい。
また、図３１に示す設定値管理マスターテーブルＴＢＬ１５ｐ’を用いてもよい。この場合には、利用者のプロフィール欄に記録されている都道府県名を「基準都道府県」から検索し、その「基準都道府県」に対応する「近接都道府県」に記録されている都道府県名と、コミュニティの参加条件として指定されている地域との一致を判定すればよい。
【００５１】
条件に合うコミュニティが有った場合には（Ｓ１３１；ＹＥＳ）、当該コミュニティを抽出し（Ｓ１３２）、当該コミュニティの情報を読み取り（Ｓ１３３）、端末装置２に対して、コミュニティ推薦画像の表示情報を含むコミュニティ推薦画像閲覧応答を送信する（Ｓ１３４）。閲覧応答を受信した端末装置２は、コミュニティ推薦画像を表示させる。このコミュニティ推薦画像が、利用者が設定した条件によって絞り込まれたコミュニティが表示されることになる。なお、条件に合致するコミュニティがなかった場合には（Ｓ１３１；ＮＯ）、以下に説明するステップＳ２２０以降の処理を行う。また、条件に合致するコミュニティがなかった場合には、コミュニティ推薦画面Ｐ４’上に、「条件に合うコミュニティはありませんでした。」等のメッセージを表示させるようにしてもよい。以下、ステップＳ２２０以降の処理は、上述した実施形態と同様である。
なお、図３４においては省略しているが、ステップＳ２４３で条件設定画面Ｐ６を表示させた後に、キャンセルボタンＢ３２がクリックされた場合には、ステップＳ２４４と同様の条件設定画面Ｐ６のクローズ処理を行った後に、ステップＳ２２０に移行すればよい。
【００５２】
本実施形態によれば、コミュニティをさらに細かく分類し、利用者に対してより一層適切なコミュニティを抽出し、推薦することができるので、利用者のモチベーションをより一層向上せさることができる。また、このような構成にすることにより、推薦されるコミュニティの数が多くなることが考えられるが、上述のように選択した条件での絞込みが可能なので、利用者は容易に適切なコミュニティを見つけることが可能となる。
なお、本実施形態の場合も、条件に合致するコミュニティが無かった場合には、第２実施形態のように新たなコミュニティを生成するようにしてもよい。
【００５３】
＜第４実施形態＞
第３実施形態では、利用者が目標を設定し、コミュニティ推薦画面が表示された後にコミュニティの絞込みを行ったが、コミュニティ推薦画面が表示される前に、コミュニティの条件を選択するようにしてもよい。
例えば、図３５に示すように、利用者による目標の設定が完了し（Ｓ２１２、Ｓ２１３、Ｓ２１４）、端末装置２から設定した目標についての情報を含むコミュニティ推薦画面の閲覧要求が管理サーバ１に対して送信されると（Ｓ２１５）、管理サーバ１は、設定された目標を記憶する（Ｓ１０２）。そして、条件設定画面の表示情報を含む表示応答を端末装置２に対して送信する（Ｓ１４０）。この表示応答を受信した端末装置は、条件設定画面の表示を行う（Ｓ２５０）。例えば、図３３の条件設定画面Ｐ６のような画面を表示させる。この際、タイトル表示領域Ｈ２０には、例えば、「あなたに合うコミュニティを検索しますので、条件を選択してください。」等のようなメッセージを表示させればよい。
そして、利用者が条件設定画面Ｐ６において各条件を選択し、決定ボタンＢ３１をクリックした場合には、その条件を端末装置２から管理サーバ１に通知し（Ｓ２５１）、条件設定画面を閉じるクローズ処理を行う（Ｓ２５２）。例えば、ステップＳ１４０で管理サーバ１から送信される条件設定画面閲覧応答には、条件設定画面Ｐ６を表示するための表示情報が含まれており、この表示情報の中には、条件設定画面Ｐ６を閉じるための命令がjavascript等により含まれており、端末装置２において起動しているブラウザ等の閲覧用のソフトウェアにより、この条件設定画面Ｐ６を閉じるための命令を実行することができる。このクローズ処理を実行することにより、条件設定画面Ｐ６が閉じられることになる。
設定された条件を受信した管理サーバ１は、受信した条件に合致するコミュニティを検索し（Ｓ１４１）、条件に合致するコミュニティが存在した場合には（Ｓ１４１；ＹＥＳ）、上述した処理と同様の処理により、コミュニティを抽出して推薦する。条件に合致するコミュニティが存在しなかった場合の処理も上述した実施形態と同様である。また、条件に合致するコミュニティが存在しなかった場合には、コミュニティを生成するようにしてもよい。
なお、図３５においては省略しているが、ステップＳ２５０で条件設定画面Ｐ６を表示させ、キャンセルボタンＢ３２がクリックされた場合には、ステップＳ２５２と同様の条件設定画面Ｐ６のクローズ処理を行った後に、ステップＳ２２０に移行すればよい。
また、このようにしてコミュニティを抽出して推薦した後に、第３実施形態のように、さらにコミュニティの絞込みを行うように構成してもよい。
【００５４】
＜変形例＞
上述のように推薦されたコミュニティに参加登録した後は、利用者の目標に対する現状値を、利用者のマイページの日記等から読み取り、参加したコミュニティの記録欄に表示するようにしてもよい。
図３６は、所定のコミュニティにおける記録ページ画面Ｐ７の一例を示している。記録ページ画面Ｐ７は、グラフ表示欄Ｅ１、参加メンバー表示欄Ｅ２、及び、掲示板表示欄Ｅ３を備えている。グラフ表示欄Ｅ１には、例えば、その時点で最も活発に活動しているメンバーの記録を表示するようにしてもよい。つまり、その時点で最も活発に活動しているメンバーのマイページの日記等から目標に対する現状値を読み取り、グラフとしてグラフ表示欄Ｅ１に表示する。
また、参加メンバー表示欄Ｅ２には、当該コミュニティの参加メンバーのアイコン画像が表示されているが、この参加メンバー表示欄Ｅ２に表示されている参加メンバーのアイコン画像をクリックすると、そのメンバーのマイページの日記等から目標に対する現状値を読み取り、グラフとしてグラフ表示欄Ｅ１に表示するようにしてもよい。複数のアイコン画像の選択を可能として、選択されたメンバーの記録をグラフ表示欄Ｅ１に重ねて表示させるようにしてもよい。
さらに、記録ページ画面Ｐ７の掲示板表示欄Ｅ３に、掲示板を表示させ、各メンバーからのコメントの投稿を可能にしてもよい。
このようにすれば、各メンバーの記録を比較できるので、モチベーションをより一層高めることができる。
【００５５】
なお、上述した実施形態では、一例として健康ＳＮＳに本発明を適用した例について説明したが、本発明はこのような例に限定されるものではなく、利用者が設定した目的の達成をサポートするものであれば、受験生用のＳＮＳサイト、あるいは、ビジネス用のＳＮＳサイト等でもよい。さらには、ＳＮＳサイトに限らず、ゲーム等のアプリケーションを定期用するものであってもよい。また、上述した実施形態では、目標に合致したコミュニティを抽出し、推薦するようにしたが、コミュニティは、利用者間でコミュニケーションが可能であれば、どのような形態でもよく、グループ、個別ページ、スレッド等と呼ばれるものであってもよい。
【００５６】
また、本発明は、パーソナルコンピュータやスマートフォン等により利用可能なインターネット上のサービスの形態で実現してもよく、また、スマートフォン等にダウンロードして使用するアプリケーションの形態で実現してもよい。
【００５７】
なお、本発明は上述の各実施形態及び変形例に限定されるものではなく、本発明の趣旨の範囲内での変更は本発明に含まれるものである。  
【符号の説明】
【００５８】
ＮＥＴ……通信網、１……管理サーバ、２……端末装置、１１……管理部、１２……抽出部、１３……通知部、１４……表示制御部、１６……表示情報生成部、２１……情報設定部、２２……目標情報通知部、２３……表示部。
【図１】
2014010627.tif 000003
【図２】
2014010627.tif 000004
【図３】
2014010627.tif 000005
【図４】
2014010627.tif 000006
【図５】
2014010627.tif 000007
【図６】
2014010627.tif 000008
【図７】
2014010627.tif 000009
【図８】
2014010627.tif 000010
【図９】
2014010627.tif 000011
【図１０】
2014010627.tif 000012
【図１１】
2014010627.tif 000013
【図１２】
2014010627.tif 000014
【図１３】
2014010627.tif 000015
【図１４】
2014010627.tif 000016
【図１５】
2014010627.tif 000017
【図１６】
2014010627.tif 000018
【図１７】
2014010627.tif 000019
【図１８】
2014010627.tif 000020
【図１９】
2014010627.tif 000021
【図２０】
2014010627.tif 000022
【図２１】
2014010627.tif 000023
【図２２】
2014010627.tif 000024
【図２３】
2014010627.tif 000025
【図２４】
2014010627.tif 000026
【図２５】
2014010627.tif 000027
【図２６】
2014010627.tif 000028
【図２７】
2014010627.tif 000029
【図２８】
2014010627.tif 000030
【図２９】
2014010627.tif 000031
【図３０】
2014010627.tif 000032
【図３１】
2014010627.tif 000033
【図３２】
2014010627.tif 000034
【図３３】
2014010627.tif 000035
【図３４】
2014010627.tif 000036
【図３５】
2014010627.tif 000037
【図３６】
2014010627.tif 000038